(57)【特許請求の範囲】
【請求項１】
自動給湯スイッチのＯＮによる湯張り指示により、浴槽へ設定温度の湯が所定水位もしくは所定量給湯される自動給湯手段を備えた自動風呂給湯装置において、
上記設定温度に対し実給湯温度を、上記設定温度設定時の外気温度と給湯時の外気温度との差から補正値を演算しその結果から実給湯温度を補正する実給湯温度補正手段を備えたことを特徴とする自動風呂給湯装置。
【請求項２】
上記実給湯温度補正手段による補正の要否が選択できる請求項１記載の自動風呂給湯装置。
【発明の詳細な説明】
【０００１】
【発明の属する技術分野】
この発明は、ガス給湯風呂システム等において、夏、冬等の外気温度に合わせて浴槽への湯張り温度を自動調整してオールシーズン自分が最も快適と感じる温度で入浴できるようにした自動風呂給湯装置に関する。
【０００２】
【従来の技術】
入浴に際し、人間には好感温度というものがあって必ずしもオールシーズン一定の温度を好むものではない。たとえば、冬期に湯温が４４℃で丁度よい温度と感じても夏期では熱すぎると感じる人が多い。このように感じる温度というのは個人差もあれば外気温度を含めたあらゆる外部環境によって大きく左右される。なかでも外気温度は大きく影響する。
そこで、従来の自動風呂給湯装置では、夏、冬等の外気温度に合わせて浴槽への湯張り温度（実給湯温度）を自動調整してオールシーズン自分が最も快適と感じる温度で入浴できる外気温度に応じた補正手段は設けられていないので、その都度設定温度を変えて対処しているにすぎない。
【０００３】
【発明が解決しようとする課題】
そもそも人間は外気温度が低いと湯温は実際より低く感じ、外気温度が高いと熱く感じるのが一般的で、そのような人が多い実情にある。したがって、上記従来の技術ではその都度設定温度返還操作を要するは勿論のこと、夏、冬等の外気温度に大きく左右されて自分が最も快適と感じる設定温度の湯をシーズンを通して得ることはできないという問題点があった。
【０００４】
この発明の自動風呂給湯装置は上記課題を解決し、設定温度に対する実給湯温度を外気温度に応じて自分が最も快適と感じる温度に自動補正することによって、オールシーズン快適な入浴ができる自動風呂給湯装置の提供を目的としている。
【０００５】
【課題を解決するための手段】
上記課題を解決するこの発明の請求項１記載の自動風呂給湯装置は、
自動給湯スイッチのＯＮによる湯張り指示により、浴槽へ設定温度の湯が所定水位もしくは所定量給湯される自動給湯手段を備えた自動風呂給湯装置において、
上記設定温度に対し実給湯温度を、上記設定温度設定時の外気温度と給湯時の外気温度との差から補正値を演算しその結果から実給湯温度を補正する実給湯温度補正手段を備えたことを要旨とする。
【０００６】
上記課題を解決するこの発明の請求項２記載の自動風呂給湯装置は、上記請求項１の自動風呂給湯装置において、
上記実給湯温度補正手段による補正の要否が選択できることを要旨とする。
【０００７】
上記構成を有するこの発明の請求項１記載の自動風呂給湯装置は、自動給湯スイッチを有し該スイッチのＯＮによる湯張り指示により、浴槽へ設定温度の湯が所定水位もしくは所定量給湯される自動給湯手段を備えた自動風呂給湯装置において、上記設定温度に対し実給湯温度を外気温度に応じて補正する実給湯温度補正手段を備えたから、この実給湯温度補正により設定温度に対し実給湯温度が夏、冬等の外気温度の変化に応じて自分（入浴者）の最も快適と感じる温度の湯に自動補正される。この結果、オールシーズン外気温度に影響されることなく快適な入浴ができる。
【０００８】
また、設定温度設定時の外気温度と給湯時の外気温度との差から補正値を演算しその結果から実給湯温度を補正する実給湯温度補正手段を採用しているから、外気温度の変化に対する実給湯温度の自動補正が外気温度に適合したきめ細かな補正値のもとに適切に行える。この結果、オールシーズン外気温度に影響されることなくより快適な入浴ができる。
【０００９】
上記構成を有するこの発明の請求項２記載の自動風呂給湯装置は、実給湯温度補正手段による補正の要否が選択できるようにしたから、外気温度の影響による外気温度の影響による実給湯温度の補正を必要とするときのみ実給湯温度補正手段を機能させることができる。この結果、必要時のみ補正できる。
【００１０】
【発明の実施の形態】
以上説明したこの発明の構成、作用を一層明らかにするために、以下この発明の自動風呂給湯装置の好適な実施の形態について図面を参照して説明する。
【００１１】
図１は強制循環遠隔追焚き機能付き給湯器を備えた自動風呂給湯装置の一例を示した概略展開構成図であって、給湯装置Ａ、追焚き装置Ｂ、風呂給湯回路Ｃ、風呂給湯回路Ｃに備えられた縁切り弁２９、風呂回路Ｄ、風呂回路Ｄに備えられた循環ポンプ３８、給湯回路Ｃと風呂回路Ｄの接続部に備えられた流路切替弁３５を主要な機能部として構成され、これらの動作を制御する風呂リモコン５３及び給湯リモコン５４が接続されるコントローラ５５を有している。
【００１２】
上記給湯装置Ａは、冷水が供給される給水管５９と、給水管５９に接続される熱交換器２０と、熱交換器２０の下流側に接続される給湯管６０と、熱交換器２０を加熱するバーナ２５とからなり、給水管５９からの冷水がバーナ２５で加熱される熱交換器２０を流過する間に熱交換され所定温度の湯となって給湯管６０に送り出される構成となっており、給湯管６０は途中から分岐されて風呂給湯回路Ｃと一般給湯回路６１とに分かれている。この給湯装置Ａは給水管５９と給湯管６０とを水電磁弁８を有するバイパス管６２で結んだミキシング型となっている。なお、上記給水管５９の上流側にはストレーナ２、給湯水量センサー３、水量制御モータ４及びサーミスタ６が備えられ、また、上記一般給湯回路６１には圧力逃し弁付き水抜栓２６を介して給湯栓１が備えられている。
【００１３】
上記バーナ２５は燃焼室２１内に設置され、このバーナ２５にはガス供給管６３からのガスが給湯用ガス管６３ａから元電磁弁７、比例制御弁１１、切替電磁弁９、１０及びノズル１４を介して供給され、ファンモータ１２によって回転駆動される給気ファン１３から燃焼室２１へ供給される燃焼用空気と混合して燃焼し熱交換器２０を加熱する。なお、１６はイグナイター、１７はサーミスタ、１８は電極、１９は熱交換器過熱防止装置、２２は排気トップ、２３は器体過熱防止装置、２４は凍結予防ヒータである。
【００１４】
給湯管６０の途中から分岐された風呂給湯回路Ｃは、第１給湯管６４と第２給湯管６５とからなり、この第１給湯管６４と第２給湯管６５との間に大気開放電磁弁３０を有する縁切り弁２９が備えられ、第１給湯管６４には落し込み水量センサー２７と給湯用電磁弁２８を有し、第２給湯管６５はモータ駆動式の流路切替弁３５を介して後述する追焚き装置Ｂに接続されている。３１、３２、３３は逆止弁である。
【００１５】
追焚き装置Ｂは、一端が浴槽５７のバスアダプタ５６に接続され、他端は循環ポンプ３８に接続された往き管６６と戻り管６７からなる風呂回路Ｄを形成し、風呂回路Ｄの往き管６６の途中にバーナ４５により過熱される熱交換器４９を備えた構成となっており、風呂回路Ｄの戻り管６７と上記風呂給湯回路Ｃの第２給湯管６５との接続部に上記切替弁３５を備え、この切替弁３５により流路を湯張り、排水、追焚きに切替えうるようになしている。３６、３７はサーミスタ、３９は流水スイッチである。
【００１６】
上記風呂回路Ｄの戻り管６７には流路切替弁３５を跨いで逆止弁３４を有するバイパス路６８を設けて、湯張り時には給湯回路Ｃと連通されて湯張り流路を往き管６６と戻り管６７による２管給湯ができるようにしている。５８は圧力センサーである。
【００１７】
上記バーナ４５は燃焼室４７内に設置され、このバーナ４５にはガス供給管６３からのガスが追焚き用ガス管６３ｂからガスガバナ４３、メーン電磁弁４０、及びノズル４１を介して供給され、ファンモータ４４によって回転駆動される給気ファン４２から燃焼室４７へ供給される燃焼用空気と混合して燃焼し熱交換器４９を加熱する。なお、４６はフレームロッド、４８は熱交換器過熱防止装置、５０は排気トップ、５１は器体過熱防止装置、５２は電極である。
【００１８】
上記構成において、その作動原理の概略を以下に説明すると、先ず、風呂用としての自動操作は、風呂リモコン５３及び給湯リモコン５４の風呂自動給湯ボタン７４を押してスイッチをＯＮにすると、風呂給湯回路Ｃの給湯用電磁弁２８がＯＮし、給湯装置Ａが給湯燃焼動作を開始する。給湯燃焼動作による湯は風呂給湯回路Ｃの落し込み水量センサー２７、縁切り弁２９を通って風呂回路Ｄから浴槽５７に給湯される。
落し込み水量センサー２７で検出された水量が設定水量に達すると、給湯用電磁弁２８がＯＦＦし給湯水量センサー３がＯＦＦとなって給湯燃焼は停止する。
【００１９】
次に、追焚き装置Ｂの循環ポンプ３８が作動し、浴槽５７内の湯の循環をはじめ、流水スイッチ３９で湯の循環が検出されたとき、サーミスタ３６で感知した温度が設定温度以下であれば、給気ファン４２が回転し、その回転数の信号がコントローラ５５に伝えられ、元電磁弁７、メーン電磁弁４０が開いてバーナ４５にガスが供給されるのと同時にイグナイター１６が作動してバーナ４５に点火すると、フレームロッド４６により炎を感知し、イグナイター１６の作動を停止し風呂の加熱を始める。そこで、循環ポンプ３８にて循環されている浴槽５７内の湯が設定温度に達すると、サーミスター３６にて温度を感知して燃焼を停止し循環ポンプ３８を停止する。
【００２０】
上記燃焼停止１０分後に循環ポンプ３８のみ作動し、浴槽５７内の湯を循環させ、このとき、浴槽５７内の湯の温度が設定温度より下がっていると、そこで追焚きを行い、下がっていなければ循環ポンプ３８の作動はそこで止まり、また、１０分後に循環ポンプ３８が作動し同じことを繰り返し設定温度を維持する。
風呂自動給湯ボタン７４を再び押してスイッチをＯＦＦすると、風呂用としての全ての作動が停止する。
【００２１】
次に、給湯用としては、給湯ボタン７６を押して後、給湯栓１を開くと、給水管５９からの冷水は給湯装置Ａの給湯水量センサー３、水量制御モータ４を経て熱交換器２０へ流れ、給湯水量センサー３からの周波数信号が規定周波数に達したことをコントローラ５５が感知すると、給気ファン１３が回転を始め、設定温度によって水電磁弁８が開く。そして、給気ファン１３によるプリパージの後、元電磁弁７と切替電磁弁９、１０が開き、比例制御弁１１が緩点火動作となってバーナ２５にガスが供給され、同時にイグナイター１６が連続的にスパークしてバーナ２５に点火する。
上記緩点火終了後、比例制御による設定温度の一定化と水量制御モータ４による水量調整とで安定した出湯温度の湯が得られるようにするとともに、ガス量と空気量の関係をも一定に保つ。
【００２２】
給湯栓１を閉じると、給湯水量センサー３からの周波数信号がなくなるため、元電磁弁７、切替電磁弁９、１０、比例制御弁１１、水電磁弁８がＯＦＦとなってバーナ２５は消火しポストパージ動作に入り、このポストパージ動作がタイムアップすると給気ファン１３は停止しすべての給湯動作は停止する。
【００２３】
上記自動風呂給湯装置において、この発明は設定温度に対し実給湯温度を外気温度に応じて自動補正することを特徴とするものであるが、以下にその補正例を説明する。
補正例１
外気温度に対して予め決められた補正温度（たとえば、表１参照）を設定温度に加減して実給湯温度を補正する例である。
【００２４】
【表１】
0004040213.tif 000002
上記表１において、たとえば、ある人が春に設定温度４２℃に設定したとすると、春、秋は４２℃そのままで実給湯し、夏は４０℃で、冬は４４℃で実給湯する。また、ある人が夏に設定温度４２℃に設定したとすると、夏は４２℃そのままで、秋、春は４４℃、冬は４６℃で実給湯することになる。
【００２５】
上記補正例１を図２のフローチャートで説明すると、ステップ１００〜１０２の実行により設定温度の自動給湯が開始されると、ステップ１０３で設定温度に対する外気温度により補正の要否を判断し、補正を必要とすると補正スイッチがＯＮしてステップ１０４の給湯時外気温度Ｔgが２５℃以上のときは、上記表１から夏の補正値であるステップ１０７のＴr＝Ｔs−２℃のもとにステップ１０８で自動給湯制御して外気温度に対する補正温度を設定温度から減じた実給湯温度に自動補正して給湯する。
また、ステップ１０５の給湯時外気温度Ｔgが１５℃以下のときは上記表１から冬の補正値であるステップ１０６のＴr＝Ｔs＋２℃のもとにステップ１０８で自動給湯制御して外気温度に対する補正温度を設定温度に加えた実給湯温度に自動補正して給湯するものである。なお、ステップ１０３で補正の必要がないと判断された場合は設定温度Ｔsそのままで給湯される。
【００２６】
補正例２
設定温度設定時の外気温度と給湯時の外気温度との差から補正値を演算しその結果から実給湯温度を補正する例である。
たとえば、図３に例示した補正値算出グラフにより設定温度設定時の外気温度Ｔgsと給湯時の外気温度Ｔgの差（Ｔgs−Ｔg）から補正値Δｔを導き出し、設定温度Ｔs＋補正値Δｔで設定温度Ｔsに対し実給湯温度Ｔrを外気温度に応じて自動補正する。
具体例を示せば次のとおりである。
たとえば、秋に設定温度を４２℃に設定し、その時の外気温度が２０℃だったとすると、これが冬になって外気温度が５℃の場合、（Ｔgs−Ｔg）とΔｔの関係を図３のグラフから導き出すと、２０℃−５℃＝１５℃（横軸）、１５℃のΔｔの値、すなわち、補正値（縦軸）は１．２℃となる（図３のａ参照）。そこで、Ｔr＝Ｔs＋Δｔから４２℃＋１．２℃＝４３．２℃となり、実給湯温度は設定温度が４２℃であっても外気温度に応じて４３．２℃に自動補正される。
また、冬に設定温度を４２℃に設定し、その時の外気温度が５℃だったとすると、これが夏になって外気温度が２５℃の場合、（Ｔgs−Ｔg）とΔｔの関係を図３のグラフから導き出すと、５℃−２５℃＝−２０℃（横軸）、−２０℃のΔｔの値、すなわち、補正値は−１．６℃となる（図３のｂ参照）。そこで、Ｔr＝Ｔs＋Δｔから４２℃＋（−１．６℃）＝４０．４℃となり、実給湯温度は設定温度が４２℃であっても外気温度に応じて４０．４℃に自動補正される。
【００２７】
上記補正例２を図４のフローチャートで説明すると、ステップ２００〜２０３の実行により設定温度設定時の外気温度Ｔgsを記憶して設定温度の自動給湯が開始されると、ステップ２０４で設定温度に対する外気温度により補正の要否を判断し、補正を必要とするときは補正スイッチがＯＮしてステップ２０５のΔｔ＝２／２５（Ｔgs−Ｔg）のもとにΔｔを求め、次いでステップ２０６のＴr＝Ｔs＋Δｔのもとにステップ２０７で自動給湯制御して外気温度に対する補正温度を設定温度設定時の外気温度と給湯時の外気温度の差から補正値を演算しその結果から実給湯温度を自動補正するもので、上記の例では外気温度の差が２５℃で±２℃の補正温度となり（図３のｃ参照）、補正例１よりきめ細かい補正ができる。なお、ステップ２０４で補正の必要がないと判断された場合は設定温度Ｔsそのままで給湯される。
【００２８】
上記補正例１、２による補正の要否は風呂リモコン５３又は給湯リモコン５４の自動補正ボタン７３により任意に選択できるようになっていて、必要時にだけ設定温度に対し実給湯温度が外気温度に応じて補正できるものである。
【００２９】
上記自動風呂給湯装置において、この発明は設定温度を個別に複数設定記憶可能とし、必要に応じて個々に呼び出し設定できるようにしたことをも特徴とするもので、たとえば、図６に例示されているように、風呂リモコン５３に個人別設定ボタン７０と自分を表示する個人別の記号７１とを設けて、たとえば、個人別設定ボタン７０を押す度に個人別の記号７１に○→○○→○○○→○○○○の表示が順次出て自分の番号を決めうるようになっている。たとえば、個人別の記号７１に○○○が表示されると数字の「３」を意味する自分の番号であるとすれば、予め設定された自分専用の設定温度をふろ温度調節ボタン７２で設定入力し、個人別設定ボタン７０を押して個人別の記号７１に、たとえば、○○○を表示すれば、自分の設定温度が呼び出されるため、複数人の家族の場合でも自分が最も快適と感じる温度で常に入浴できるものである。
【００３０】
上記個々に呼び出し設定された設定温度に対し実給湯温度を外気温度に応じて補正できるようにして自分専用の実給湯温度の補正の要否の選択もできるようにして使用上便利としている。図６及び図７において、７３は自動補正ボタン、７４は風呂自動給湯ボタン、７５はたし湯ボタン、７６は給湯ボタン、７７は給湯温度調節ボタンである。そして、７８は設定温度表示部である。
なお、上記風呂リモコン５３の温度調節部分８０と、給湯リモコン５４の風呂予約セットと時刻合わせ部分８１は、利用頻度が少ないため普段はカバー８３、８４でカバーされており、利用するときはカバー８３、８４を外して操作するようになっている。
【００３１】
図５は上記個人別設定の一例を示したフローチャートであって、ステップ３００〜３０３の実行により設定温度の自動給湯が開始されるものであるが、ステップ３０１で個人別設定を行って自分専用の設定温度の自動給湯が開始されると、先に説明した補正例１と同様にステップ３０４で設定温度に対する外気温度により補正の要否を判断し、補正を必要とするときは補正スイッチがＯＮしてステップ３０５の給湯時外気温度Ｔgが２５℃以上のときは、上記表１から夏の補正値であるステップ３０８のＴr＝Ｔs−２℃のもとにステップ３０９で自動給湯制御して外気温度に対する補正温度を設定温度から減じた実給湯温度に自動補正して給湯する。
また、ステップ３０６の給湯時外気温度が１５℃以下のときは上記表１から冬の補正値であるステップ３０７のＴr＝Ｔs＋２℃のもとにステップ３０９で自動給湯制御して外気温度に対する補正温度を設定温度に加えた実給湯温度に自動補正して給湯するものである。なお、ステップ３０４で補正の必要がないと判断された場合は設定温度Ｔsそのままで給湯される。
なお、上記補正例１、２、補正の要否、複数設定記憶、呼び出し設定等は、たとえば、マイコン制御等によって行うものである。
【００３２】
以上この発明の実施の形態の一例について説明したが、この発明はこうした実施の形態のものに何等限定されず、この発明の要旨を逸脱しない範囲において種々なる態様で実施しうることは勿論である。
【００３３】
【発明の効果】
この発明は以上説明したような形態で実施され、以下に記載されるような効果を奏する。
【００３４】
この発明の請求項１記載の自動風呂給湯装置によれば、自動給湯スイッチを有し該スイッチのＯＮによる湯張り指示により、浴槽へ設定温度の湯が所定水位もしくは所定量給湯される自動給湯手段を備えた自動風呂給湯装置において、上記設定温度に対し実給湯温度を外気温度に応じて補正する実給湯温度補正手段を備えたから、この実給温度補正手段により設定温度に対し実給湯温度が夏、冬等の外気温度の変化に応じて自分（入浴者）の最も快適と感じる温度の湯に自動補正される。したがって、オールシーズン外気温度に影響されることなく快適な入浴ができる。
【００３５】
また、設定温度設定時の外気温度と給湯時の外気温度との差から補正値を演算しその結果から実給湯温度を補正する実給湯温度補正手段を採用しているから、外気温度の変化に対する実給湯温度の自動補正が外気温度に適合したきめ細かな補正値のもとに適切に行える。したがって、オールシーズン外気温度に影響されることなくより快適な入浴ができる。
【００３６】
この発明の請求項２記載の自動風呂給湯装置によれば、実給湯温度補正手段による補正の要否が選択できるようにしたから、外気温度の影響による実給湯温度の補正を必要とするときのみ実給湯温度補正手段を機能させることができる。したがって、必要時のみ補正できる。
【図面の簡単な説明】
【図１】  この発明を適用する自動風呂給湯装置の一例を示した概略展開構成図である。
【図２】  補正例１の一例を示したフローチャートである。
【図３】  補正例２の補正値を求めるグラフである。
【図４】  補正例２の一例を示したフローチャートである。
【図５】  個人別設定の一例を示したフローチャートである。
【図６】  個人別設定を組み込んだ風呂リモコンの一例を示したもので、イは正面図、ロは温度調節部分の正面図である。
【図７】  メインリモコンである給湯リモコンの一例を示したもので、イは正面図、ロは風呂予約セットと時刻合わせ部分の正面図である。
【符号の説明】
Ａ…給湯装置
Ｂ…追焚き装置
Ｃ…給湯回路
Ｄ…風呂回路
５３…風呂リモコン
５５…コントローラ
７０…個人別設定ボタン
７１…個人別の記号
７３…自動補正ボタン
７６…給湯ボタン
【図１】
0004040213.tif 000003
【図２】
0004040213.tif 000004
【図３】
0004040213.tif 000005
【図４】
0004040213.tif 000006
【図５】
0004040213.tif 000007
【図６】
0004040213.tif 000008
【図７】
0004040213.tif 000009